(57)【特許請求の範囲】
【請求項１】
浴室内に設置される暖房装置と、この暖房装置とは独立して浴室外に設置され、暖房装置の後方の壁を貫通する換気穴を介して浴室内の空気を換気する換気装置とを備えた浴室乾燥暖房機において、
暖房装置のケースの側面及び上下面の後端が背面より後方に突出しており、
暖房装置の背面と側面及び上下面と壁面との間に空間が形成され、
暖房装置のケースの外側からこの空間に連通する連通穴が設けられており、
この連通穴が設けられている面に略平行な内壁がこの連通穴の内側においてケースの内外の連通を妨げることなくこの連通穴の外側からその空間の内部を見る視線を遮る位置に形成されており、
暖房装置の背面の一部がその連通穴が設けられている面に向けて後方の壁からの間隔が広がるように傾斜しており、
その内壁は暖房装置の背面から後方の壁に向けて片持ち状に伸びて
いることを特徴とする浴室乾燥暖房機。
【発明の詳細な説明】
【０００１】
【発明の属する技術分野】
本発明は、換気機能を有する壁掛け式の浴室乾燥暖房機に関する。
【０００２】
【従来の技術】
浴室に設置される浴室乾燥暖房機は、温水を熱媒として浴室内の空気を温め、浴室内の暖房や衣類の乾燥等を行なう。また、浴室乾燥暖房機は浴室内の空気を排出するための換気機能も備えている。従来の浴室乾燥暖房機のうち、特に壁掛け式のものの換気機構を図１〜図４を用いて説明する。図１は従来の浴室乾燥暖房機の一例の斜視図であり、図２は図１の浴室乾燥暖房機の横断面図であり、図３は図１の浴室乾燥暖房機の縦断面図である。
【０００３】
図１に示す浴室乾燥暖房機１０はケース１２内に換気装置を内蔵しており、ケース１２の側面には換気用の吸込み穴１４が設けられており、ケース１２から内部へ貫通している。
図２に示すように、換気用ファン１６がモータ１８によって作動すると、浴室内の空気が吸込み穴１４からケース１２内へ吸気され（矢印ａ）、排気口２０から壁２２に貫通している換気穴２４を通って浴室外へ排出される（矢印ｂ）。
図３に示すように、換気用ファン１６が作動すると吸込み穴１４から吸気される（矢印ａ）他、暖房用の吸込み部２６（図１参照）からも吸気される。吸込み部２６から吸気された空気はケース１２内の機能部品の隙間を通って（矢印ｃ）換気用ファン１６から浴室外へ排出される（矢印ｂ）。
【０００４】
図４は図１〜３に示した従来の浴室乾燥暖房機とは別の例の側断面図である。この浴室乾燥暖房機３０は浴室内に設置される暖房装置３２と浴室外に設置される換気装置３４とからなり、これらはそれぞれ独立している。暖房装置３２のケース３６は後方の壁面との間に隙間３８が形成されるように設置される。
即ち、換気装置３４の換気用ファン４０がモータ４２によって作動すると、浴室内の空気が隙間３８から吸気され（矢印ｄ）、ケース３６の後方の壁４４に貫通している換気穴４６を通って（矢印ｅ）換気ファン４０から排気される（矢印ｆ）。
【０００５】
【発明が解決しようとする課題】
図１〜図３に示した従来の浴室乾燥暖房機１０では、先に述べたように、換気用ファン１６がケース１２内に収められているため、換気用ファン１６が作動すると浴室内の空気が暖房用の吸込み部２６からも吸気され、この空気はケース１２内を通って換気用ファン１６まで移動する（矢印ｃ）。このとき、空気がケース１２内の電子ユニット２８等の様々な機能部品に触れながら流れるため、ケース１２内の部品に結露が生じ易くなり、故障の原因となる。
図４に示した浴室乾燥暖房機３０では、暖房装置３２と換気装置３４は独立しており、先の例のように換気装置の作動によって暖房装置に悪影響を及ぼす可能性はない。しかしながら、ケース３６の後方の壁面の状態によってケース３６と後方の壁面との間隔が変化するため、隙間３８からの吸気では吸気量が不安定となる。安定した吸気量を確保するためには壁面の変化を考慮してケース３６と後方の壁面との間隔を大きくとっておく必要があり、美観を損なってしまう。
【０００６】
本発明は、換気装置の作動によって暖房装置に悪影響を及ぼすことなく、且つ、暖房装置と後方の壁面との間隔に関係なく、常に安定した換気量を確保できる浴室乾燥暖房機を実現することを目的とする。
【０００７】
【課題を解決するための手段と作用と効果】  本発明の浴室乾燥暖房機は、浴室内に設置される暖房装置と、この暖房装置とは独立して浴室外に設置され、暖房装置の後方の壁を貫通する換気穴を介して浴室内の空気を換気する換気装置とを備えている。本発明の浴室乾燥暖房機は、暖房装置のケースの側面及び上下面の後端が背面より後方に突出しており、暖房装置の背面と側面及び上下面と壁面との間に空間が形成され、暖房装置のケースの外側からこの空間に連通する連通穴が設けられており、この連通穴が設けられている面に略平行な内壁がこの連通穴の内側においてケースの内外の連通を妨げることなくこの連通穴の外側からその空間の内部を見る視線を遮る位置に形成されており、暖房装置の背面の一部がその連通穴が設けられている面に向けて後方の壁からの間隔が広がるように傾斜しており、その内壁は暖房装置の背面から後方の壁に向けて片持ち状に伸びていることを特徴とする。
【０００８】
本発明では、暖房装置のケースの側面及び上下面の後端が背面より後方に突出しており、暖房装置の背面と側面及び上下面と壁面との間に空間が形成されている。換気装置が作動したとき、浴室内の空気がこの空間を通って浴室外に排気されるように暖房装置のケースに換気用の連通穴が設けられている。このことから、換気装置を作動させても暖房装置に影響を及ぼすことはない。また、暖房装置の後方の壁面の状態に関係なく、常に安定した吸気量を確保することができるため、暖房装置と後方の壁面との間隔を最小限にし、美観を損ねることなく設置することができる。さらに、この穴の内側に内壁が形成されているが、この内壁が吸気の際の妨げになることはない。この内壁によって、ケースの外側から機器の内部が見えないため、美観を損ねることなく安定した換気量を確保することができる。
【０００９】
【発明の実施の形態】
以下、本発明を具現化した第１実施例を示す。図５は本発明の第１実施例の浴室乾燥暖房機の暖房装置の斜視図であり、図６は図５の浴室乾燥暖房機の側断面図である。
浴室乾燥暖房機６０は浴室内壁に設置される暖房装置と、浴室の壁を挟んで浴室外壁に設置される換気装置とからなる。
まず、暖房装置について説明する。図５に示す暖房装置６２は浴室内の天井付近の壁面に設置される。暖房装置６２のケース６４の前面には温風の吹出し部６６と空気の吸込み部６８が形成される。暖房装置６２の内部には、熱交換器（図示省略）が収められており、熱源である給湯器（図示省略）から配管（図示省略）を通じて温水が循環する。また、暖房装置６２の内部には暖房用ファン（図示省略）が収められており、吸気と送風を行なう。
即ち、暖房装置６２の暖房用ファン（図示省略）が作動すると、吸込み部６８から浴室内の空気が吸気される。熱交換器（図示省略）内には熱媒として温水が循環しており、吸気された空気は熱交換により加熱される。加熱された空気は温風となって再び暖房用ファン（図示省略）によって吹出し部６６から浴室内へ送風される。このような暖房装置６２の動作によって浴室暖房が行なわれる。
【００１０】
次に、換気装置について説明する。図６に示すように、暖房装置６２のケース背面６４ａと後方の壁面７０ａとの間には換気用空間７２が形成され、ケース６４の下面には浴室内からこの換気用空間７２へ貫通する吸込み穴７４が設けられる（図５参照）。暖房装置６２の後方の壁７０にはこの換気用空間７２から浴室外へ換気穴７６が貫通しており、浴室外壁にはこの換気穴７６を覆うように換気用ファン８０とモータ８２とからなる換気装置７８が設置される。
即ち、換気装置７８の換気用ファン８０がモータ８２によって作動すると、浴室内の空気が吸込み穴７４より換気用空間７２へ吸気され（矢印ｇ）、浴室の壁７０を貫通する換気穴７６を通って（矢印ｈ）換気用ファン８０より浴室外へ排気される（矢印ｉ）。
【００１１】
このように、換気装置は暖房装置と独立して作動するため、換気装置を作動させても暖房装置に影響を及ぼさない。また、換気装置を作動させたときに、暖房装置の吸込み穴から換気用空間に吸気され、換気穴を通って換気ファンから排気される換気通路が形成されているため、常に安定した換気量を確保することができる。
【００１２】
次に、本発明を具現化した第２実施例を示す。図７は本発明の第２実施例の浴室乾燥暖房機の暖房装置の斜視図であり、図８は図７の浴室乾燥暖房機の部分断面図である。
第２実施例の浴室乾燥暖房機は、動作については先に述べた第１実施例の浴室乾燥暖房機と同様であるが、換気装置の形状に特徴があるため、特にこの点について説明する。
【００１３】
第１実施例と同様に、暖房装置６２のケース背面６４ａと後方の壁面７０ａとの間には換気用空間７２が形成される（図６参照）。図７に示すように、第２実施例では浴室内から換気用空間７２へ貫通する吸込み穴８４はケース６４の側面に設けられる。また、図８は吸込み穴８４を含む横断面図の吸込み穴８４部分を示す図であり、吸込み穴８４には衝立状の内壁８６が設けられている。
即ち、換気装置７８の換気用ファン８０がモータ８２によって作動すると、浴室内の空気がケース６４の側面の吸込み穴８４より換気用空間７２へ吸気される。換気用空間７２からは第１実施例と同様に、浴室の壁７０を貫通する換気穴７６を通って（矢印ｈ）換気用ファン８０より浴室外へ排気される（矢印ｉ）。なお、吸込み穴８４にもうけられた衝立状の内壁８６は吸気の妨げにはならない。
【００１４】
このように、換気用の吸込み穴には衝立状の内壁が設けられ、外側より機器の内部が見えない工夫がなされているため、美観を損ねることなく安定した換気量を確保することが可能となる。
【００１５】
次に、本発明を具現化した第３実施例を示す。図９は本発明の第２実施例の浴室乾燥暖房機の暖房装置の斜視図であり、図１０は図９の浴室乾燥暖房機の部分断面図である。
第３実施例の浴室乾燥暖房機は、動作については先に述べた第１実施例の浴室乾燥暖房機と同様であるが、換気装置の形状に特徴があるため、特にこの点について説明する。
【００１６】
第１実施例と同様に、暖房装置６２のケース背面６４ａと後方の壁面７０ａとの間には換気用空間７２が形成される（図６参照）。図９に示すように、第３実施例では浴室内から換気用空間７２へ貫通する吸込み穴８８はケース６４の上面に設けられる。また、図８は吸込み穴８８を含む側断面図の吸込み穴８８部分を示す図であり、吸込み穴８８には庇状の内壁９０が設けられている。
即ち、換気装置７８の換気用ファン８０がモータ８２によって作動すると、浴室内の空気がケース６４の上面の吸込み穴８８より換気用空間７４へ吸気される。換気用空間７２からは第１実施例と同様に、浴室の壁７０を貫通する換気穴７６を通って（矢印ｈ）換気用ファン８０より浴室外へ排気される（矢印ｉ）。なお、吸込み穴８８にもうけられた庇状の内壁９０は吸気の妨げにはならない。
ケース６４の上面の吸込み穴８８から水滴が侵入する恐れがあるが、庇状の内壁９０が設けられているため、水滴が侵入してもこの庇状の内壁９０によって暖房装置６２の後方へ導かれ、後方の壁面７０ａとの間に落下する。
【００１７】
このように、換気用の吸込み穴８８には庇状の内壁９０が設けられているため、外側より水滴が侵入しても暖房装置６２の後方にある温水の配管９２や配線９４に水滴が落下したり、暖房装置６２の後方に水が溜まったりすることがない。これにより、水滴が暖房装置のケースの背面や温水の配管や配線等を傷めるなどの悪影響を及ぼすことなく、安定した換気量を確保することが可能となる。
【００１８】
以上のように、第１〜第３実施例の浴室乾燥暖房機では、暖房装置と換気装置とが独立して作動する。暖房装置の背面と壁面との間に換気用空間が形成されており、換気装置が作動したとき、浴室内の空気がこの換気用空間を通って換気されるように、暖房装置のケースの側面、底面または上面には吸込み穴が設けられている。このことから、暖房動作と換気動作との空気の通路が異なっているため、換気装置を作動させても暖房装置に影響を及ぼすことはない。また、換気用通路が形成されているため、暖房装置の後方の壁面の状態に関係なく、常に安定した吸気量を確保することができる。これにより、暖房装置と後方の壁面との間隔を最小限にし、美観を損ねることなく設置することができる。
【００１９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】  従来の浴室乾燥暖房機の一例の斜視図。
【図２】  同浴室乾燥暖房機の横断面図。
【図３】  同浴室乾燥暖房機の縦断面図。
【図４】  従来の浴室乾燥暖房機の別の例の側断面図。
【図５】  本発明の第１実施例の浴室乾燥暖房機の斜視図。
【図６】  同浴室乾燥暖房機の側断面図。
【図７】  本発明の第２実施例の浴室乾燥暖房機の斜視図。
【図８】  同浴室乾燥暖房機の部分断面図。
【図９】  本発明の第３実施例の浴室乾燥暖房機の斜視図。
【図１０】  同浴室乾燥暖房機の部分断面図。
【符号の説明】
６０：浴室乾燥暖房機
６２：暖房装置
６４：ケース
６４ａ：ケース背面
６６：吹出し部
６８：吸込み部
７０：壁
７０ａ：壁面
７２：換気用空間
７４：吸込み穴
７６：換気穴
７８：換気装置
８０：換気用ファン
８２：モータ
８４：吸込み穴
８６：内壁
８８：吸込み穴
９０：内壁
９２：配管
９４：配線
【図１】
0003805651.tif 000002
【図２】
0003805651.tif 000003
【図３】
0003805651.tif 000004
【図４】
0003805651.tif 000005
【図５】
0003805651.tif 000006
【図６】
0003805651.tif 000007
【図７】
0003805651.tif 000008
【図８】
0003805651.tif 000009
【図９】
0003805651.tif 000010
【図１０】
0003805651.tif 000011